(57)【要約】【課題】従来の冷蔵庫は、レシート情報を読み込ませることにより商品情報を冷蔵庫に格納するので、非常に面倒であり、レシートという紙片は買い物の帰り等に紛失しやすく、紛失した場合には正当な在庫管理ができない、という課題があった。【解決手段】商品に関する情報である商品情報を１以上受信し、当該商品情報を記録する冷蔵庫であり、かかる冷蔵庫により簡易に、かつ確実に商品情報を管理する冷蔵庫が提供でき、また、受信した１以上の商品情報のうち、一定の条件に合致する商品情報のみ記録する冷蔵庫により、必要な商品情報のみ冷蔵庫で管理できる。【選択図】　図１
2004116940.tif 000002
【特許請求の範囲】
【請求項１】
商品に関する情報である商品情報を１以上受信し、当該商品情報を記録する冷蔵庫。
【請求項２】
キャッシュレジスタから受信した情報を格納している通信装置から、前記商品情報を受信し、記録する請求項１記載の冷蔵庫。
【請求項３】
キャッシュレジスタから前記商品情報を受信し、記録する請求項１記載の冷蔵庫。
【請求項４】
１以上の商品情報を受信する商品情報受信部と、
記録すべき商品情報を判断するための情報である判断情報を格納する判断情報格納部と、
前記商品情報受信部が受信した商品情報を記録すべきか否かを、前記判断情報に基づいて判断する記録判断部と、
前記記録判断部の判断結果に基づいて商品情報受信部が受信した商品情報を記録する商品情報記録部を具備する冷蔵庫。
【発明の詳細な説明】
【０００１】
【発明の属する技術分野】
本発明は、商品情報を管理する冷蔵庫に関する。
【０００２】
【従来の技術】
従来の冷蔵庫は、レシートの情報を読み取って商品情報を記録する冷蔵庫であった（例えば、特許文献１参照）。また、かかる従来技術によれば、冷蔵庫で在庫管理すべき商品の商品情報のみ格納した。
【０００３】
【特許文献１】
特開２００２−１１５９５６号公報（第１頁、第１図）
【０００４】
【発明が解決しようとする課題】
しかし、上記従来技術によれば、レシート情報を読み込ませることにより商品情報を冷蔵庫に格納するので、非常に面倒である。また、レシートという紙片は買い物の帰り等に紛失しやすく、紛失した場合には正当な在庫管理ができない。
【０００５】
【課題を解決するための手段】
そこで、本発明における冷蔵庫は、商品に関する情報である商品情報を１以上受信し、当該商品情報を記録する冷蔵庫であり、かかる冷蔵庫により簡易に、かつ確実に商品情報を管理する冷蔵庫が提供できる。
【０００６】
また、受信した１以上の商品情報のうち、一定の条件に合致する商品情報のみ記録する冷蔵庫により、必要な商品情報のみ冷蔵庫で管理できる。
【０００７】
【発明の実施の形態】
以下、冷蔵庫の実施形態について図面を参照して説明する。なお、実施の形態において同じ符号を付した構成要素は同様の動作を行うので、再度の説明を省略する場合がある。
【０００８】
実施の形態における冷蔵庫の構成を示すブロック図を図１に示す。冷蔵庫は、商品情報受信部１１、判断情報格納部１２、記録判断部１３、商品情報記録部１４を具備する。
【０００９】
商品情報受信部１１は、１以上の商品情報を受信する。商品情報のデータ構造を問わない。商品情報は、通常、商品を識別する商品識別子、商品の種別を示す商品種別識別子、商品の価格を示す価格情報、商品の量や数を示す数量情報等を有する。商品情報受信部１１は、携帯電話などの通信端末や、通信手段を有するキャッシュレジスタから商品情報を受信する。商品情報受信部１１は、例えば、ブルートゥース等の近距離通信手段や、ＩＥＥＥ８０２．１（ｂ）等の無線通信手段等で実現される。また、商品情報受信部１１は、非接触ＩＣカードの電磁誘導による情報を受信しても良い。つまり、受信とは、非接触ＩＣカードからの信号の受信も含む。
【００１０】
判断情報格納部１２は、記録すべき商品情報を判断するための情報である判断情報を格納する。判断情報のデータ構造は問わない。判断情報は、例えば、商品種別識別子である。判断情報格納部１２は、不揮発性の記録媒体が好適であるが、揮発性の記録媒体でも良い。
【００１１】
記録判断部１３は、商品情報受信部１１が受信した商品情報を記録すべきか否かを、判断情報に基づいて判断する。記録判断部１３は、通常、ＭＰＵやメモリ等から実現され得る。記録判断部１３が判断するための処理手順は、通常、ソフトウェアで実現され、当該ソフトウェアはＲＯＭ等の記録媒体に記録されている。但し、ハードウェア（専用回路）で実現しても良い。
【００１２】
商品情報記録部１４は、記録判断部１３の判断結果に基づいて商品情報受信部１１が受け付けた商品情報を記録する。商品情報記録部１４は、通常、ＭＰＵやメモリ等から実現され得る。商品情報記録部１４が商品情報を記録するための処理手順は、通常、ソフトウェアで実現され、当該ソフトウェアはＲＯＭ等の記録媒体に記録されている。但し、ハードウェア（専用回路）で実現しても良い。なお、商品情報記録部１４は、商品情報を記録する記録媒体を含んでも含まなくても良い。
【００１３】
以下、冷蔵庫の動作を図２のフローチャートを用いて説明する。
（ステップＳ２０１）商品情報受信部１１は、１以上の商品情報を受信したか否かを判断する。１以上の商品情報を受信すればステップＳ２０２に行き、１以上の商品情報を受け付けなればステップＳ２０１に戻る。
【００１４】
（ステップＳ２０２）カウンタｉに１を代入する。
（ステップＳ２０３）ステップＳ２０１で受け付けた商品情報の数を変数ｎに代入する。
【００１５】
（ステップＳ２０４）ｉがｎ以下であるか否かを判断する。ｉがｎ以下であればステップＳ２０５に行き、ｉがｎより大きければ処理を終了する。
【００１６】
（ステップＳ２０５）記録判断部１３は、ｉ番目の商品情報を取得する。
（ステップＳ２０６）記録判断部１３は、ステップＳ２０５で取得したｉ番目の商品情報と判断情報格納部１２の判断情報に基づいて、ｉ番目の商品情報を記録するか否かを判断する。記録すると判断すればステップＳ２０７に行き、記録しないと判断すればステップＳ２０８に飛ぶ。
【００１７】
（ステップＳ２０７）商品情報記録部１４は、ステップＳ２０５で取得したｉ番目の商品情報を記録する。
（ステップＳ２０８）カウンタｉをインクリメントする。ステップＳ２０４に戻る。
【００１８】
以下、本実施の形態における冷蔵庫等の具体的な動作について説明する。まず、第一の例について説明する。今、冷蔵庫３１と携帯電話３２を有する情報処理システムが存在する（図３参照）。ユーザは、図４に示すように携帯電話３２を持ってスーパー等に買い物に出かけ、買い物の決済時にキャッシュレジスタ４１から情報を取得する。この情報は、ユーザが購入した商品の商品情報である。なお、冷蔵庫３１は、通信手段３１１とディスプレイ３１２を具備している。
【００１９】
そして、ユーザは、家に帰ってから、携帯電話３２に格納された１以上の商品情報を冷蔵庫３１に送信する。そして、冷蔵庫３１は、１以上の商品情報を受信し、当該商品情報から冷蔵庫に入れられる商品に関する商品情報のみ冷蔵庫に格納する。
【００２０】
具体的には、冷蔵庫３１は、図５に示す判断情報を保持している。図５は、判断情報管理表である。判断情報管理表は、「ＩＤ」と「商品種別識別子」を有するレコードを１以上格納している。「ＩＤ」はレコードを識別する情報であり、表管理のうえで必要である。「商品種別識別子」は、冷蔵庫に格納されるべき商品の種類を識別する情報である。図５によれば、「牛肉」や「豚肉」や「ソーセージ」や「牛乳」などは、冷蔵庫に格納されるべきであると、ユーザは設定している。また、冷蔵庫の販売時点（工場出荷時）では、デフォルトの判断情報管理表が格納されており、かかる判断情報管理表はユーザによりカスタマイズ可能である、とする。
【００２１】
そして、今、図３に示す携帯電話３２から図６の商品情報が冷蔵庫３１に送信された、とする。つまり、ユーザは、図６の４つの商品をスーパーで購入した、とする。そして、冷蔵庫は、図６の４つの商品情報から、図５に格納されている「商品種別識別子」と同一の「商品種別識別子」を有する商品情報のみを記録する。従って、冷蔵庫は、図７の２つの商品情報のみを記録する。言い換えれば、シャンプーやトイレットペーパーは、冷蔵庫に格納されるべき商品ではないので、それらの情報は、冷蔵庫では管理しないのである。なお、携帯電話３２は、非接触ＩＣカードを保持しており、非接触でキャッシュレジスタから商品情報を受信しても良い。また、携帯電話３２は、当該受信した商品情報を、非接触ＩＣカードを用いて冷蔵庫３１に送信しても良い。つまり、携帯電話３２などの通信装置には、非接触ＩＣカード等の記録媒体を内蔵するものを含む。
【００２２】
次に、第二の例について説明する。第二の例の外観を図８に示す。図８において、ユーザがスーパー等で買い物をし、決済する場合に、キャッシュレジスタ８１に１以上の商品情報が入力される。かかる商品情報が、キャッシュレジスタ８１から冷蔵庫３１に送信されるのである。例えば、ユーザは、ユーザの識別子またはユーザの所持する冷蔵庫の識別子（電話番号やＩＰアドレスなど）が記録されたＩＣカードを保持している。キャッシュレジスタ８１で決済を行う前に、かかるＩＣカードをレジスタ８１に通す。レジスタ８１は、ＩＣカードの情報を読み取り冷蔵庫３１と通信するための情報（冷蔵庫識別子）を取得する。そして、決済を行うために、例えば、バーコードリーダー等で商品に付されたバーコードを読み、レジスタ８１は１以上の商品情報を取得する。そして、レジスタ８１は１以上の商品情報を冷蔵庫識別子で識別される冷蔵庫３１に送信する。
【００２３】
次に、冷蔵庫３１は、受信した商品情報を上記の第一の例の動作と同様にフィルタリングして、必要な商品情報のみ冷蔵庫３１に記録する。
【００２４】
以上、本実施の形態によれば、通信手段により簡易にかつ確実に、冷蔵庫で必要な商品情報のみ記録することができる。また、その際、冷蔵庫で管理されるべき商品情報のみ格納される。
【００２５】
なお、本実施の形態において、商品情報をフィルタリングして、冷蔵庫で管理すべき商品情報のみ格納したが、受信した商品情報のすべてを格納しても良い。
つまり、本実施の形態における冷蔵庫は、商品に関する情報である商品情報を１以上受信し、当該商品情報を記録する冷蔵庫であれば良い。
【００２６】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。なお、本実施の形態において説明した動作を実現するプログラムは、コンピュータに、１以上の商品情報を受け付ける商品情報受信ステップと、商品情報受信ステップにおいて受信した商品情報を記録すべきか否かを、格納している判断情報に基づいて判断する記録判断ステップと、記録判断ステップにおける判断結果に基づいて受け付けた商品情報を記録する商品情報記録ステップを実行させるためのプログラムであり、かかるプログラムは冷蔵庫のＲＯＭ等に記録されている。
【発明の効果】
以上のように、本発明によれば、通信手段により簡易にかつ確実に商品情報を冷蔵庫で管理できる。
【図面の簡単な説明】
【図１】実施の形態における冷蔵庫の構成を示すブロック図
【図２】実施の形態における冷蔵庫の動作を示すフローチャート
【図３】実施の形態における情報処理システムの概念図
【図４】実施の形態における情報処理システムの概念図
【図５】実施の形態における判断情報管理表を示す図
【図６】実施の形態における冷蔵庫に送信された商品情報の例を示す図
【図７】実施の形態における冷蔵庫に格納される商品情報の例を示す図
【図８】実施の形態における情報処理システムの概念図
【符号の説明】
１１　商品情報受信部
１２　判断情報格納部
１３　記録判断部
１４　商品情報記録部
３１　冷蔵庫
３２　携帯電話
４１、８１　キャッシュレジスタ
３１１　通信手段
３１２　ディスプレイ
【図１】
2004116940.tif 000003
【図２】
2004116940.tif 000004
【図３】
2004116940.tif 000005
【図４】
2004116940.tif 000006
【図５】
2004116940.tif 000007
【図６】
2004116940.tif 000008
【図７】
2004116940.tif 000009
【図８】
2004116940.tif 000010